Podtech/llm-jp-corpus-v4-ja_patent huggingface dataset:
(57)【要約】【課題】  本発明は、光エネルギーを電気エネルギーに変換しこれを二次電池に蓄えるソーラー方式により電源を得ると同時に、電波時計による日付、時刻情報のデジタル信号を受信し、自動的に月別に曜日並びに（年）日付を一枚のパネルで表示提供する。【解決手段】  この発明は、カレンダーを実用性と同時に部屋のアクセサリーの一部ととらえ、花や山岳など自然美の風景や名所旧跡、城など建築美あるいは犬・猫等の動物、スポーツ等をジャンル別に収録したメモリーカードをパネルに設定し、各ジャンルの中から好みの写真を任意に選別が可能とし、更に日付の文字と写真の大きさを拡大・縮小を可能とする調整装置を設定する。【選択図】図１
2017037283.tif 000002
【特許請求の範囲】
【請求項１】
電波時計並びにソーラシステムの併用により、一枚のパネルで曜日、月日等を半永久的に表示することを特徴とするカレンダー。
【請求項２】
各人の好みにより花や山岳、あるいは海、湖、清流など自然美の風景や名所旧跡、城など建築美あるいは犬・猫等の動物やスポーツ等ジャンル別にメモリーカードに記録し、写真を任意に表示することを特徴とするカレンダー。
【請求項３】
写真と文字の大きさを随時任意に調整する機能を有することを特徴とするカレンダー。
【発明の詳細な説明】
【技術分野】
【０００１】  本発明は、光エネルギーを電気エネルギーに変換し、これを二次電池に蓄えるソーラ方式により電源を得ると同時に、電波時計による日付、時刻情報のデジタル信号を受信し、自動的に月別に曜日並びに（年）日付を表示する方式によるカレンダーに関する。
【背景技術】
【０００２】  現状のカレンダーの多くは、光沢上質紙に写真と共に曜日並びに日付を印刷した単・複数枚によって成り立っており、日付の確認と同時に部屋のアクセサリー要素の一部にもなっている。しかし、当該月の最終日または翌月１日には廃棄することになる。
一方、写真は多くて１２枚であり、好みが多様化した家族の場合、各々の好みに応じた写真を選択し購入する必要が生じる。
【発明の概要】
【発明が解決しようとする課題】
【０００３】  カレンダーを購入する場合、一般的には写真の被写体の好み、文字の大きさ、サイズなどが掲示する部屋や趣味と合致するものを選別する。しかし、これを店頭で短時間で選別することは容易ではない。
【発明が解決するための手段】
【０００４】  本発明は、電波時計並びにソーラーシステムの原理を応用し、カレンダー用パネルの上部に設定する。
【０００５】  花や山岳、あるいは海、湖、清流など自然美の風景や名所旧跡、城などの建築美あるいは犬、猫等の動物、スポーツ等をジャンル別に多数収録したメモリーカードをカレンダー用パネルの上部に設定する。
このメモリーカードはジャンル別一覧及びジャンルの中から任意の被写体をタッチで設定できる方式とする。
【０００６】  カレンダー表示写真・文字を随時調整できるよう調整装置を設定する。
【発明の効果】
【０００７】  現状のカレンダーは、多くて１２枚の光沢上質紙を用いているが、これが１枚のパネルにより省かれ用紙等が節減できる。
また、店頭で好みの被写体・文字等の選別に替え、自室においてタッチボタンにより任意に選択でき家族の要望に合ったカレンダーで、随時部屋の雰囲気に合致できる。
【０００８】  文字の大きさを拡大（写真は縮小）することが可能な調整機能を有しているので、使用者によって任意に設定できる効果がある。
【０００９】  電波時計を応用していることから、半永久的に１枚のパネルで活用できるので毎年の購入は不要となり経済的である。
【００１０】  電波時計並びにソーラシステム併用なので用紙を破棄する必要がなく、自動的に毎月初めに日付が変更される利点がある。
【図面の簡単な説明】
【００１１】
【図１】  カレンダー正面図（縦型の例）
【図２】  写真ジャンル別表示（例）
【発明を実施するための形態】
【００１２】  以下本発明を実施するための形態を説明する。
図１で示すカレンダーは従来なじんできたイメージと構成は変わらないが、電波時計の仕組み（図１−（１））が装置されているので、１枚のパネルで自動的に毎月日付が変更され、殆ど半永久的な活用に供し、かつ部屋のアクセサリーの一部として各種のジャンルの写真が表示できる（図２）ことから、多様なニーズに適合できる仕組みとなっている。
また、電源はソーラー方式（図１−（２））なので、室内の光源で対応可能であり全体的にエコ対応したカレンダーである。
更に図１−（４）に示すとおり高齢化社会に配慮し、文字の大きさを拡大する（この結果写真は縮小）ことが可能な調整機能を設定してある。
【符号の説明】
【００１３】  図１    カレンダー正面図（縦型の例）
１    電波受信場所
２    ソーラシステム
３    写真メモリーカード
４    写真・文字調整機能
５    写真
６    年・月・日付・曜日表示
７    掛穴
図２    写真ジャンル別表示（例）
【図１】
2017037283.tif 000003
【図２】
2017037283.tif 000004
(57)【要約】【課題】観戦資料などが、汚れたり破れたり濡らしたりなどのトラブルがあったり、別にメガホーンを準備しても大きすぎて邪魔で便利さに欠けていたので、観戦資料保管方法とコンパクト応援拡声器の機能を兼ね合わせ、軽装で荷物にならず手軽に便利に使用できるものである。【解決手段】ファイルＡ面とＢ面があり、双方に左上と右上に凹凸のボタンを設置し、下部にも左下と右下に凹凸のボタンを設置してメガホーン仕様に円錐形を保てるようにし、収納式首かけゴムヒモ器の中にゴムヒモが入り、先端ゴムヒモ止具を引抜き後尾ゴムヒモ止具がスライサーレールを自由に滑れるように工夫された、応援グッズのメガホーン・ファイル。【選択図】図１
2017037282.tif 000002
【特許請求の範囲】
【請求項１】
（イ）ファイルＡ面とＢ面があり、双方に左上と右上に凹凸のボタンを設置し、下部にも左下と右下に凹凸のボタンを設置して丸めて双方が凹凸のボタンで留められ、メガホーン仕様に円錐形を保てるようにし、
（ロ）収納式首かけゴムヒモ器の中に、ゴムヒモが入り、先端ゴムヒモ止具と後尾ゴムヒモ止具が連結され、後尾ゴムヒモスライサーレールを設け、後尾ゴムヒモ止具が自由に滑れるように設置し、
（ハ）先端ゴムヒモ止具を引き抜いた際に、ファイル（Ａ）（Ｂ）をゴムヒモで巻き先端ゴムヒモ止具ロックに最後を留められるように設け、
以上のように構成されたメガホーン・ファイル。
【発明の詳細な説明】
【技術分野】
【０００１】本発明は、スポーツ観戦やコンサートなどの売店で購入した観戦資料などの保管方法とコンパクト応援拡声器の機能を兼ね合わせた、観戦具に関するものである。
【背景技術】
【０００２】従来は、売店などで購入した選手名鑑集やプログラム表を、観戦資料だけとしていた。
なお、別途でメガホーンを用いて大きな声で観戦するグッズとして知られている。
【発明の概要】
【発明が解決しようとする課題】
【０００３】スポーツ観戦資料を売店などで購入し、または、各学校にて子供達を応援する為に後援会で作成したプログラムや選手名鑑紙を手にしながら、観戦していました。しかし、現場でその観戦資料などが、汚れたり破れたり濡らしたりなどのトラブルがあった。その他、応援する声が選手に届かない問題点もあった。また、別にメガホーンを準備しても大きすぎて邪魔で便利さにかける原因になる。本発明は、観戦資料保管方法とコンパクト応援拡声器の機能を兼ね合わせ、軽装で荷物にならず手軽に便利に使用できるものである。
【発明が解決しようとする手段】
【０００４】ファイルＡ面とＢ面があり、双方に左上と右上に凹凸のボタンを設置し、下部にも左下と右下に凹凸のボタンを設置してメガホーン仕様に円錐形を保てるようにし、収納式首かけゴムヒモ器の中にゴムヒモが入り、先端ゴムヒモ止具を引抜き後尾ゴムヒモ止具がスライサーレールを自由に滑れるようにした。
以上の構成によるメガホーン・ファイル。
【発明の効果】
【０００５】従来不可能とされていた観戦資料保管方法と応援拡声器を、本発明により合体可能にし、軽装で荷物にならず手軽に便利に使用できるものである。
本発明は、スポーツ観戦だけでなく、コンサートや選挙活動などでも使用できるので、すぐにその場で観戦資料を使い選手名や背番号など検索でき、普通の声でも選手に届く事が便利になる。
【図面の簡単な説明】
【０００６】
【図１】  本発明の斜視図
【図２】  本発明の組立状態を示す斜視図
【図３】  本発明をメガホーンとして使用している状態図
【発明を実施するための形態】
【０００７】以下、本発明の実施の形態を説明する。
（イ）ファイル本体は、ファイル（Ａ）とファイル（Ｂ）が形成され端がファイル（Ａ）とファイル（Ｂ）が一体となるように取付けられ他端はファイル（Ａ）とファイル（Ｂ）は開放されている。
（ロ）ファイル（Ａ）の左上にボタン（出）（１）を取り付け、ファイル（Ｂ）の右上にボタン（穴）（２）を取付け、ボタン（出）（１）とボタン（穴）（２）の凹凸を設ける。
（ハ）ファイル（Ａ）の左下にボタン（出）（３）を取り付け、ファイル（Ｂ）右下にボタン（穴）（４）を取付け、ボタン（出）（３）とボタン（穴）（４）の凹凸を設ける。
（ニ）ファイル（Ａ）（Ｂ）の横に収納式首かけゴムヒモ器（５）を設け、収納式首かけゴムヒモ器（５）の中にゴムヒモ（９）を通し、先端ゴムヒモ止具（６）を先端に、後尾ゴムヒモ止具（８）を後尾に取り付ける。
（ホ）首かけの時は、先端ゴムヒモ止具（６）を引抜き、後尾ゴムヒモ止具（８）を後尾ゴムヒモスライサーレール（７）を後尾から先端まで走らせられるように設置した。
（ヘ）首かけの使用時に滑らせる後尾ゴムヒモスライサーレール（７）の中には、ゴムヒモ（９）が後尾ゴムヒモ止具（８）と先端ゴムヒモ止具（６）と連結し、使用時はファイル（Ａ）（Ｂ）にゴムヒモ（９）を巻き付け先端ゴムヒモ止具ロック（１０）に先端ゴムヒモ止具（６）を差込めるように設置した。
（ト）ゴムヒモを、ファイル（Ａ）とファイル（Ｂ）に巻き付け先端ゴムヒモ止具（６）を、先端ゴムヒモ止具ロック（１０）に差し込めるようにも設置した。
本発明は以上のような構造である。
本発明を使用するときは、ファイル（Ａ）の左上にボタン（出）（１）を、ファイル（Ｂ）の右上にボタン（穴）（２）の双方を、メガホーン使用時に丸めボタン（出）（１）とボタン（穴）（２）の凹凸部のボタンをはめる。ファイル（Ａ）の左下にボタン（出）（３）を、ファイル（Ｂ）の右下にボタン（穴）（４）の双方を、メガホーン使用時には丸めボタン（出）（３）ボタン（穴）（４）の凹凸部のボタンをはめるとメガホーンとして用いることが出来る。（図３）
ファイル（Ａ）（Ｂ）横の収納式首かけゴムヒモ器（５）から、先端ゴムヒモ止具（６）と繋がっているゴムヒモ（９）を引抜き、後尾ゴムヒモ止具（８）を後尾ゴムヒモスライサーレール（７）に滑らせ使用する。先端ゴムヒモ止具（６）を先端ゴムヒモ止具ロック（１０）に差し込んでも使用できる。円錐状のメガホーン・ファイルは、観戦資料保管方法とコンパクト応援拡声器の機能を兼ね合わせ、軽装で荷物にならず手軽に便利に使用できるものである。
【符号の説明】
【０００８】１ボタン（出）、２ボタン（穴）、３ボタン（出）、４ボタン（穴）、
５収納式首かけゴムヒモ器、６先端ゴムヒモ止具、
７後尾ゴムヒモスライサーレール、８後尾ゴムヒモ止具、９ゴムヒモ
１０、先端ゴムヒモ止具ロック
【図１】
2017037282.tif 000003
【図２】
2017037282.tif 000004
【図３】
2017037282.tif 000005
(57)【要約】      （修正有）【課題】現状のサムターンカバーは外から不正な方法によりサムターンを回すことを防止するものでしかない。帰宅時玄関ドアを開錠したままで部屋に行ってしまうことが少なくない。在室時玄関ドア施錠を忘れがちである。このような際の施錠忘れをＬＥＤライトや音で報せるサムターンカバーを提供する。【解決手段】サムターンカバー１に電池、電気回路を組込み、サムターン２の動きにより回路のスイッチをＯＮ・ＯＦＦにし、ＬＥＤライト３や音を作動し、施錠忘れを報せる。【選択図】図１
2017082568.tif 000002
【特許請求の範囲】
【請求項１】
サムターンカバーの一端にサムターンの一端が接触したとき、電気回路が完成しＬＥＤライト等が点り音等を発生する。
【請求項２】
サムターンカバーの一端からサムターンの一端が離れたとき、電気回路が完成しＬＥＤライト等が点り音等を発する。
【発明の詳細な説明】
【技術分野】
【０００１】本発明は鍵のかけ忘れを防止するためのサムターンカバーである
【背景技術】
【０００２】従来のサムターンカバーは単にドアの内側のサムターンと呼ばれる部分を外側から回すことを防止するものだが、本発明はそれに加えて施錠忘れを報せるものである。
【先行技術文献】
【０００３】
【特許文献１】
【非特許文献１】
【発明の概要】
【発明が解決しようとする課題】
【０００４】これは次のような欠点があった。
（イ）外から戻って室内に入ったとき施錠忘れを報せてくれない。
（ロ）外出する際の施錠忘れて報せてくれない。
本発明はその欠点を解消するためなされたものである。
【課題を解決するための手段】
【０００５】サムターンカバー（１）、サムターン（２）ＬＥＤライト（３）電池ボックスからなりサムターンの一端をＬＥＤライトや音の回路のスイッチにする。
【発明の効果】
【０００６】（イ）外から戻って室内に入ったとき施錠忘れを報せてくれる。
（ロ）外出する際の施錠忘れて報せてくれる。
【図面の簡単な説明】
【０００７】
【図１】俯瞰図１
【図２】俯瞰図２
【発明を実施するための形態】
【０００８】以下、本発明を実施するための最良の形態について説明する。
開錠時サムターンの一端に取付けた導体が、サムターンカバーに取付けられた回路の一部の二点間を接続し回路に電流が流れＬＥＤライトが点灯し、音を発する。
【符号の説明】
【０００９】１・サムターンカバー        ２・サムターン      ３・ＬＥＤライト
４・電池及び電子回路ボックス    ５・接点        ６・接点支持部
７・絶縁体          ８・導体
【図１】
2017082568.tif 000003
【図２】
2017082568.tif 000004
(57)【要約】      （修正有）【課題】男性の立小便のとき、尿や水の飛散を防止するため気泡を活用した便器を提供する。【解決手段】洋式便器１の貯水２面上に、シャボン玉等の、いろいろな径の気泡３を、厚さ１０ｃｍ以上で浮かせる。トイレ使用時は、手動式、スプレー式、センサー付きの自動式等の気泡発生装置により、貯水２面上に気泡３を浮かせて使用する。これにより、男性が立って用をたすとき、尿や貯水２の水の飛散を防ぎ、合わせて便器の内外を清潔に保つことができる。【選択図】図１
2017082567.tif 000002
【特許請求の範囲】
【請求項１】
様式便器等の貯水面上や便器壁面に気泡を活用した便器
【発明の詳細な説明】
【技術分野】
【０００１】この発明は、男性の立小便による尿の飛散を防ぐためにシャボン玉等の気泡を活用した便器に関するものである。
【背景技術】
【０００２】従来、洋式便器の場合、尿の飛散防止は貯水することと構造を変えることであった。
【先行技術文献】
【特許文献】
【０００３】
【特許文献１】
【発明の概要】
【発明が解決しようとする課題】
【０００４】これは次のような欠点があった。
（イ）水と一緒に尿まで飛散してしまう。
本発明は、以上のような欠点を無くすためになされたものである。
【課題を解決するための手段】
【０００５】洋式便器の貯水面上にシャボン玉等の気泡を浮かせることによって尿及び水の飛散を防ぐ。
本発明は、以上の構成によりなる気泡を活用した便器である。
【発明の効果】
【０００６】（イ）  尿及び水の飛散を防ぐことにより便器の内、外共に清潔に保つことができ、世の夫人方の悩みを解決する。
（ロ）  男性は立って用をたしてこそ、放尿の満足感を得るものである。
【図面の簡単な説明】
【０００７】
【図１】本図は本発明の断面図である。
【発明を実施するための形態】
【０００８】以下、本発明を実施するための形態について説明する。
洋式便器（１）の貯水（２）面上にシャボン玉等の気泡（３）（いろいろな経の気泡）を厚さ１０ｃｍ以上で浮かせる。
本発明は、以上のような構造である。
これを使用するとき、手動式、スプレー式、自動式（センサー付）等の気泡発生装置のよって、貯水面上に気泡を浮かせて使用する。
【符号の説明】
【０００９】１  洋式便器
２  貯水
３  気泡
【図１】
2017082567.tif 000003
(57)【要約】      （修正有）【課題】特許第５８００２４４号では横軸に発電機（単品及び複数）を取付けて発電する方法であり横方向に広いスペースが取れる場所等には適した発電機であるが、より強力な電力のパワーが必要とされる施設等（複式発電機）で横方向が狭小な建物等、室内等には設置が不可能になる場合がある。【解決手段】横軸発電機が設置できない狭小な場所等で、より強力なパワーの電気が必要になる施設には上段・下段に縦方向に２段の発電機１を取付けて、水車形車輪２を回転させる鉄球等３は上段の水車形車輪２を稼動させながら落下した鉄球等３を下段の水車形車輪２を更に回転させて、上段、下段の発電危機を同時２機の発電機１を稼動させる事により、発電の能力がパワーアップして２倍以上の電気が発電できる。なお、更に強力な電気を必要とする施設等の場合は複数（上・下段の発電機）の組合せにより２倍・４倍・８倍以上の発電が可能になる事によって解決した。【選択図】図１
2017082752.tif 000002
【特許請求の範囲】
【請求項１】
上段から落下する鉄球等を更に下段に取付けた水車形（縦式（複式）ダブル・エントリ発電機、出力に選っては更に複数台を取り付け）に落下させて同時に上段・下段２機の発電機を稼動させて発電パワーをより強力アップ（２倍以上）させたことを特徴とする、コンパクトな発電装置。
【請求項２】
横方向にスペースが取れない狭小な場所等でより強力な電気が必要とされる建物及び室内等に縦式が有効である。（横式を２台〜複数台を設置するよりスペースが狭小で有利）
縦式、横式発電機の組合せ（複数）により狭小なスペースでの発電ができる、より強力なパワー発電ができ２倍・４倍、８倍と倍々の数の強力な発電が可能にさせたことを特徴とする、請求項１記載の発電装置。
【発明の詳細な説明】
【技術分野】
【０００１】  本発明は、特許第５８００２４４号（以下使用は特許）の横軸方向発電機（上段）の下段縦方向に発電機をプラスセットした、複式の改良形であります。
特許は発電機の横軸に水車形を１輪又は、２輪以上を取付けた横軸方向に広がる発電機であり、鉄球等を高速落下させて水車形を高速回転させて強力なパワーより発電機を回転させて発電している装置である。
よって横方向に広いスペースが必要とする発電機である。
改良形発電機は上段、下段と縦方向に接続機具等により接続して、縦方向に発電機をダブル・エントリ（複式）取付けて発電する発電機の考案である。
本考案の水車形は上段発電機に１輪及び下段発電機に１輪取り付け、初動は上段の水車形へ鉄球等を落下させて、上段の水車形を回転させて発電機を高速回転させて発電を可能にし、引き続き下段の水車形に鉄球等を落下させることにより２台の発電機を同時に回転して発電を可能にしている（約２倍の発電が可能な能力になる。）
下段の水車形の回転を容易にするのは、上段水車形から落下した鉄球等が落下する距離がより長くなり約２倍になる事により、下段水車形を回転させる落下エルネキーはより強力になり発電機を高速回転させて発電する装置になる。
用途により強力な電力が必要な施設等の場合は縦式に３〜４連続の発電機を設置して発電を可能にもできる装置でもある。
大工場並びに大型機械等を稼動させるにはコンパクトで有りながら、より強力な電力パワーの必要とする施設には、特許の横軸方向の発電の発電機水車形を２〜４機取りつけた発電機と、縦形の方向に発電機水車形を２〜４機を取付けた、縦式発電機と横軸発電機の組合せが可能になると、ミニでコンパクトな発電機でありながら超強力なパワーアプの発電が容易となる（約８倍の発電が可能な能力になる）。
【技術背景】
【０００２】    「水力発電の欠点」
特許第５８００２４４号の出願明細書参照
「火力発電の欠点」
特許第５８００２４４号の出願明細書参照
【原子力発電所の欠点】
特許第５８００２４４号の出願明細書参照
【発明の効果】
【０００３】  特許第５８００２４４号の出願明細書参照
【０００４】  特許第５８００２４４号の出願明細書参照
【課題を解決するための手段】
【０００５】
【０００６】
【０００７】
【０００８】  特許第５８００２４４号の出願明細書参照
【本考案の長所を列記】
【０００９】  特許第５８００２４４号の出願明細書参照
【００１０】  特許第５８００２４４号の出願明細書参照
【図面の簡単な説明】
【００１１】▲１▼発電機（円形）
▲２▼水車形車輪（発電機を稼動させる動力車輪）
▲３▼鉄球等連続図（水車形・発電機を稼動させる動力源）
▲４▼鉄球等受枠（車輪を回転させる鉄球等受枠）
▲５▼車軸（水車形・発電機を回転つせる軸）
▲６▼鉄球等落下方向矢印
▲７▼水車形・発電機内部に入れたスポーク
▲８▼鉄球等搬送機械（半円形・又は円形筒形）
▲９▼鉄球等搬送機（搬送ベルトコンベアー等、パチンコ玉搬送機）
▲１０▼鉄球等の流れ矢印
▲１１▼上段・下段縦式発電機接合機具図（太字今回追加番号）
▲１２▼下段発電機（今回の考案出願）
【本考案の着眼点】
【００１２】▲１▼〜▲１０▼は特許第５８００２４４号出願明細書参照
発電機を上段・下段の縦式（複式）２段に配列する事より、２台の発電機が同時に稼動して発電能力アップを図る事ができる。（普通に考えても２倍）
建物施設等の狭小等の場所でより強力な電気を使用する機具、機械等が多数ある場合でも対応が可能のように、コンパクトな縦式２段複式に発電機を改良して狭小な場所でも設置を可能にして、より強力な発電能力を発揮できる発電機に改良工夫した。
また、特許の水車形（横軸）連続式と縦式の発電機を組合せする（縦式、横式の組合せ）事が可能になり大規模な工場、ビル、公共施設等に設置する事によりパワーアップな強力発電が可能になる。（最低でも縦式２台＋横式２台＝４倍、２×２＝４倍の倍々の数の発電が可能になる）
【図１】
2017082752.tif 000003
【図２】
2017082752.tif 000004
【図３】
2017082752.tif 000005
【手続補正書】
【提出日】平成27年12月11日(2015.12.11)
【手続補正１】
【補正対象書類名】明細書
【補正対象項目名】００１１
【補正方法】変更
【補正の内容】
【００１１】
【図１】は複式２連縦形発電機基本型・斜視図縦形（概略図）で鉄球等を落下させて発電機が回転して稼動する図
【図２】は正面図縦形（概略図）・２連式発電機で鉄球等を落下させて発電機が回転して稼動する図
【図３】は斜視図縦形（概略図）・複連式縦形発電機・水車形・発電機連続図１〜６図で鉄球等を落下させて発電機が回転して稼動する図と連続的に発電機が回転して稼動する図  １  発電機（円形）を表す図  ２  水車形車輪（発電機を稼動させる動力源）を表す図  ３  鉄球等連続図（水車形・発電機を稼動させる動力源）を表す図  ４  鉄球等受枠（車輪を回転させる鉄球等受枠）を表す図  ５  車軸（水車形・発電機を回転させる軸）を表す図  ６  鉄球等落下方向矢印を表す図  ７  水車形、発電機内部に入れたスボ−クを表す図  ８  鉄球等搬送機（半円形、又は円筒形筒状）を表す図  ９  鉄球等搬送機（ベルトコンベ−等、パチンコ玉式搬送機）を表す図  １０  鉄球等の流れ矢印を表す図  １１  上段・下段縦式発電機接合機具図を表す図（太字今回追加番号）を表す図  １２  下段発電機（今回の考案出願）を」表す図
(57)【要約】【課題】オートマチック車の発進時にアクセルペダルとブレーキペダルの踏み間違えを原因とした自動車事故が例年発生している。同様の事故の減少させるため、音声を通じたドライバーの的確なフットペダル操作を支援する装置の開発を課題とする。【解決手段】  オートマチック自動車の運転席フロアマット上に、測距センサー部、情報処理部、電池部、スピーカー部より構成されるフットペダル操作音声支援装置を設置する。ドライバーの足がアクセルペダル、ブレーキペダルの上に移動するとドライバーにフットペダル操作を行われた事を示す電子音が再生される。【選択図】図１
2017124804.tif 000002
【特許請求の範囲】
【請求項１】
測距センサー部、情報処理部、電池部、スピーカー部を有しオートマチック自動車の運転席のフロアマット上に設置され、ドライバーの足がアクセルペダル、ブレーキペダルの上に置かれている間それぞれ電子音を再生することを特徴とするフットペダル操作音声支援装置。
【発明の詳細な説明】
【技術分野】
【０００１】この発明はオートマッチックドライバーのフットペダル操作を音声で支援する装置に関する。
【発明の概要】
【発明が解決しようとする課題】
【０００２】オートマチック車の発進時にアクセルペダルとブレーキペダルの踏み間違えを原因とした自動車事故が例年発生している。踏み間違えの原因の一つにフットペダル操作を足の触覚情報のみに頼っている事が挙げられる。そこでドライバーのフットペダル操作をより的確に意図したものにするために、音声情報を用いたフットペダル操作支援装置の開発を課題とする。
【課題を解決するための手段】
【０００３】オートマチック自動車の運転席フロアマット上に、測距センサー部、情報処理部、電池部、スピーカー部により構成されるフットペダル操作音声支援装置を固定部品により設置する。測距センサー部はフロアマット表面から最も近い物体までの距離の測定値を情報処理部に送る。情報処理部はある条件値以上でスピーカーに電子音信号を送る。ドライバーがフットペダルに自分の足を乗せているときの測距センサー部の測定値を求め、それを電子音信号送信の条件値に設定することで、ドライバーは自分の足がアクセルペダル又はブレーキペダルの上に位置する場合に電子音でその状況を認識できるようになる。
【発明の効果】
【０００４】本発明によりフットペダル操作を音声で支援する機能を一つの装置でオートマチック自動車に提供できる。
【図面の簡単な説明】
【０００５】
【図１】オートマチック自動車の運転席フロアマット上にフットペダル操作音声支援装置を設置した様子を示すものである。
【図２】フットペダル操作音声支援装置の設置位置を示すものである。
【図３】フットペダル操作音声支援装置を構成する要素を示すものである。
【発明を実施するための形態】
【０００６】以下に添付図面を用いながら、フットペダル操作音声支援装置を実施するための形態を説明する。
【０００７】図１は運転席フロアマット２に設置されたフットペダル操作音声支援装置３を車体側面から外観した場合の図である。この図の状態でドライバーが運転席１に座りフットペダル４に足を置くと、フットペダル操作音声支援装置３の測距センサー部３０１の鉛直線上にドライバーの脚が移動し、センサー３０１から情報処理部３０３に条件値以上となる測定値が送られる。情報処理部３０３はスピーカー部３０４に電子音信号を送信し、ドライバーにドライバーの足がフットペダル４の上に位置していることを電子音で通知する。
【０００８】図２はフットペダル操作音声支援装置３の設置位置を示すもので、フットペダル操作音声支援装置３はフットペダル４の手前の位置に固定具で運転席フロアマット２に固定される。
【０００９】図３はフットペダル操作音声支援装置３の構成要素を示している。測距センサー部３０１、電池部３０２、情報処理部３０３、スピーカー部３０４によって一つの装置が構成される。
【符号の説明】１  運転席
２  運転席フロアマット
３  フットペダル操作音声支援装置
３０１  測距センサー部
３０２  電池部
３０３  情報処理部
３０４  スピーカー部
４  フットペダル
５  ダッシュボード
【図１】
2017124804.tif 000003
【図２】
2017124804.tif 000004
【図３】
2017124804.tif 000005
(57)【要約】【課題】主に外食時、ハサミや箸で麺を短くカットする方法は時間がかかるうえ手が汚れてしまうなど、わずらわしさを感じる作業である。  本発明は、一度に食べる分量の麺類をわずかな時間で短くカットできる調理器具を提供する。【解決手段】蓋の内側裏面全体にカッターの役割を果たす格子状の仕切りを設けたことを特徴とする調理器具である。【選択図】図１
2017124481.tif 000002
【特許請求の範囲】
【請求項１】
器と、その器を密閉するための蓋からなり、蓋の内側裏面に格子状の仕切りを設けたことを特徴とする麺類を切る調理器具。
【発明の詳細な説明】
【技術分野】
【０００１】  本発明は、離乳食の麺類を短くカットするための調理器具である。
【背景技術】
【０００２】  子供が食べやすいように麺を短くカットする際、箸やハサミを使用するのが一般的な方法である
（特許文献１参照）。
【先行技術文献】
【特許文献】
【０００３】
【特許文献１】  特開２００６−３４１０５９号公報
【発明の概要】
【発明が解決しようとする課題】
【０００４】  主に外食時、箸やハサミで麺を短くカットする方法は時間がかかる上、手が汚れてしまうなどわずらわしさを感じるものである。
【課題を解決するための手段】
【０００５】  麺を入れる器に対する蓋の内側裏面全体にカッターの役割を果たす格子状の仕切りを設ける。仕切りの先端は、蓋を閉じると器の底面及び側面に隙間なく密着する。
この仕組みにより麺がカットされる。
【発明の効果】
【０００６】  従来時間が掛かっていた作業を、本発明により時間短縮し、手早く子供に食べさせることができる。また、本発明は調理器具としてだけではなく、カットし終えるとそのまま器（皿）として使用できる。
【図面の簡単な説明】
【０００７】
【図１】本発明の蓋部分の斜視図
【図２】本発明の器部分の斜視図
【図３】本発明の使用状態を示す断面図
【発明を実施するための形態】
【０００８】  以下、本発明の実施の形態を説明する。
（イ）蓋（１）と器（３）とからなる、麺類を切る調理器具である。
（ロ）蓋（１）の内側裏面に、カッターの役割を果たす格子状の仕切り（２）を設ける。      仕切り（２）は、蓋の内側裏面全体に設けられており、縦方向、横方向にそれぞれ      等間隔で設けられている。また、仕切り（２）の先端は、蓋を閉じると器（３）の      底面及び側面に隙間なく密着する。
（ハ）器（３）の内側の側面に目盛り（４）を入れる。
（ニ）器（３）の上部外側の対面する二箇所に取手（５）を設ける。
本発明は以上のような構造である。
【０００９】本発明を使用するときは、器（３）に食べる分量の麺を入れ、蓋（１）をきっちりと閉める。
仕切り（２）の先端が器（３）の底部へ行届き密着したら蓋（１）を器（３）の中のカットされた麺を子供に与える。目盛り（４）を設けることで、離乳食期の子供に対して適した麺の分量を測ることができる。
【符号の説明】
【００１０】１蓋、２仕切り、３器、４目盛り、５取手
【図１】
2017124481.tif 000003
【図２】
2017124481.tif 000004
【図３】
2017124481.tif 000005
(57)【要約】【課題】  人生の３割にもあたる、睡眠時間に体重で寝床に接する面の血管を圧迫する。健常者であっても、血の流れの減少は、何らかの悪害を受ける。パイプどうしの空間（弱圧部）を作る事で、悪害を減らし健康に寄与する。【解決手段】  パイプどうしを身丈方向に少しの間隙をもち並列に設けることを特徴とする。【選択図】図２
2017124142.tif 000002
【特許請求の範囲】
【請求項１】
パイプを身丈方向へ並列に配置した、パイプ敷き床。
【発明の詳細な説明】
【技術分野】
【０００１】  この発明は、寝床にパイプを身丈方向に、組並べた敷き床である
【背景技術】
【０００２】  従来、簀の子等の敷き床は身丈を横切る形がほとんどであつた。
【発明の概要】
【発明が解決しようとする課題】
【０００３】  これは、次のような欠点があつた。
人生の３割程を占める睡眠時間中は、どんなに柔らかな寝具であろうが、体重の作用する面の血管は、血の流れに障害を受ける。床擦れは病床の人に多いいようであるが、健常者の場合でも見えない、影響を受けている。頭から足まで縦方向に弱い圧力の部分をパイプどうし間につくり、血流の助けをすると同時に、パイプのもつ気の流れを、血流に促進させようと考えるものである。
【課題を解決するための手段】
【０００４】  パイプを並列に等間隔に並べる事で、身体と否接触空間（弱圧接部）を作る。またパイプ自体のもつ、気の流れの自然力にきたいする。
【発明の効果】
【０００５】  パイプ敷き床の上に寝る事で、体重の作用による、血流減少を改善する。
【図面の簡単な説明】
【０００６】
【図１】  本発明の斜視図である。
【図２】  本発明の断面図である。
【発明を実施するための形態】
【０００７】  以下、本発明を実施するための形態について説明する。
寝床であるため、冬季には保温材と合わせたパイプ敷き床の実施となるが、身体と否接触空間（弱圧接部）を活かした保温材の組み合わせとする。
【符号の説明】
【０００８】１  パイプ
２  パイプつなぎ
【図１】
2017124142.tif 000003
【図２】
2017124142.tif 000004
(57)【要約】【課題】掛け布団が寝ている際の寝返りなどで肩口に隙間が出来、冷気が入らないようにする肩掛け布団を提供する。【解決手段】掛け布団（１）の上端から首回りを押さえるように掛けて隙間を出来にくくするのを特徴とする。【選択図】図１
2017124143.tif 000002
【特許請求の範囲】
【請求項１】
掛け布団（１）の上端に通常の布団よりサイズの小さいサイズの布団（２）を設けた肩掛け布団。
【発明の詳細な説明】
【技術分野】
【０００１】この発明は、掛け布団の肩口に上からかける布団に関するものである。
【背景技術】
【０００２】従来、掛け布団は首から足の先まで覆うものである。
【先行技術文献】
【特許文献】
【０００３】
【特許文献１】
【発明の概要】
【発明が解決しようとする課題】
【０００４】これは、次のような欠点があった。
従来、掛け布団は寝ている間に、寝返りなどにより肩口が開いてしまい寒い思いをして睡眠にも支障が出ていた。
本発明は、以上のような欠点をなくすためになされたものである。
【課題を解決するための手段】
【０００５】掛け布団の上から肩口にだけかかるサイズの布団をかける。材質は通常の掛け布団と同じでサイズだけを変える。
【発明の効果】
【０００６】掛け布団のように体型や寝返りによる影響を受けにくく、掛け布団の肩口を押さえる効果もあるので布団の外側の冷気が入りにくくなり快適な睡眠が得られる。
【図面の簡単な説明】
【０００７】
【図１】本発明の斜視図である。
【図２】本発明の断面図である。
【発明を実施するための形態】
【０００８】以下、本発明を実施するための形態について説明する。
掛け布団（１）のシングルサイズやダブルサイズの横幅に合わせた長さと奥行きは肩と布団の上端が押さえられるように肩掛け布団（２）を掛け、多少ずれたとしても隙間が出来ないような大きさにする。
そうすることにより、冷気の侵入を軽減する。
【符号の説明】
【０００９】１  掛け布団
２  肩掛け布団
【図１】
2017124143.tif 000003
【図２】
2017124143.tif 000004
(57)【要約】【課題】本発明は電気コードを使用しない電池仕様発光ダイオードランプを使用することにより、今までの花、花束、フラワーアレンジメント、ブリザードフラワーアレンジメントを使用したイベント、冠婚葬祭等、さまざまなシチュエーションでの花の新しいスタイルを提供する【解決手段】電気コードを使用しない電池仕様発光ダイオードランプを使用する事で持ち運びも容易くなり、本来の花の色をさまざまな色のランプを使用する事によりバリエーションを増やすことが可能となる。【選択図】図１
2017124138.tif 000002
【特許請求の範囲】
【請求項１】
生花、アレンジ等、植物の内部に電気コードを使用せず、電池を使用した発光ダイオードランプ各色の電飾を装着します。
【発明の詳細な説明】
【技術分野】
【０００１】  本発明は、従来電気コードを使用した電飾によるフラワー装飾だったものを電池仕様の発光ダイオードランプを使用し内部から光を放ち、しかもコードレスにしたもの。
【背景技術】
【０００２】  ０００１にも記載しましたが、従来、電気コードを使用したフラワー装飾は存在しましたが、電池仕様の発光ダイオードランプを使用する事により、花の内部にまで電飾を施すことが可能となり、今までの花、生花、アレンジ及び植物のディスプレイの幅が広がります。
【先行技術文献】
【特許文献】
【０００３】
【特許文献１】特開２００３−１７３７０３号公報
【特許文献２】特開２００４−１８５９９３号公報
【特許文献３】登録実用新案第３１１６９０４号公報
【発明の概要】
【発明が解決しようとする課題】
【０００４】  本発明は、電源の汎用化をすることにより、既存の花、花束、フラワーアレンジメント、ブリザートフラワーアレンジメント、園芸等のディスプレイの花を含む植物の内部から光を放つことが可能となり、簡単に移動させる事が可能となります。
【課題を解決するための手段】
【０００５】  本発明は、電池仕様の発光ダイオードを使用する事により、固定の電源を必要としない為、上記の課題が可能となります。
【発明の効果】
【０００６】  本発明は電池のみを使用した発光ダイオードランプを使用することにより、今までの電気コードを使用した装飾に比べ、花束、ブリザードフラワー、フラワーアレンジのディスプレイの幅が格段に広がり、簡単に移動できるようになります。
【図面の簡単な説明】
【０００７】
【図１】本発明の実施形態を示す説明図である。
【図２】本発明の使用例を示す説明図である。
【図３】本発明の使用状態を示す説明図である。
【図４】別発明の実施形態を示す説明図である。
【図５】別発明の使用状態を示す説明図である。
【発明を実施するための形態】
【０００８】  電池仕様の発光ダイオードランプを使用することにより実現した。
【実施例１】
【０００９】  各色の電気コードを使用しない電池仕様の発光ダイオードランプを花、花束、フラワーアレンジメント、ブリザートフラワーアレンジメントの内部に入れる。
【産業上の利用可能性】
【００１０】  現在、花、花束、フラワーアレンジメント、ブリザートフラワーアレンジメントの電飾に電気コードを使用しない電池仕様の発光ダイオードランプを使用することにより、イベントの会場や結婚式の会場、葬儀の式場等さまざまなシチュエーションの中での展開が見込まれます。
【符号の説明】
【００１１】  １  電池仕様発光ダイオードランプ。  ２  花。  ３  花束。  ４  フラワーアレンジメント。  ５  ブリザードフラワーアレンジメント。
【図１】
2017124138.tif 000003
【図２】
2017124138.tif 000004
【図３】
2017124138.tif 000005
【図４】
2017124138.tif 000006
【図５】
2017124138.tif 000007
(57)【要約】【課題】健康管理を保持しようとするに本発明治療器具を下着の裏面ポケットに挿入して目的を達しようとするものである。【解決手段】アルミニウム盤の一方面に磁石を固着し、片方面に銅金網を固着し銅金網の中央外周辺に多数の鉛玉を固着したアルミニウム盤を内面側中央にて折曲して構成した磁気治療器具。尚、１２０ミリテスラである。【選択図】図１
2017124133.tif 000002
【特許請求の範囲】
【請求項１】
内ポケット内蔵下着のポケットに内部受納するに、アルミニウム盤の一方面に磁石を固着し、片方面に銅金網を固着し、銅金網の中央外周辺に多数の鉛玉を固着したアルミニウム盤を内面側中央にて折曲して構成した磁気治療器具。
【発明の詳細な説明】
【技術分野】
【０００１】本発明は健康管理を保持しようとするに、磁気を用いる事に関する【０００２】糖尿病からくる腰痛に於いて養生するに、血液の流れを良くする事に関する。【０００３】血の巡りが滞って頭痛をともなう肩こりに於いて血行を良くし、ストレス及び姿勢を改善する事に関する。
【背景技術】
【０００４】糖尿病に於いてカロリー食事制限と万歩運動対策で対応している。【０００５】病院に於いては、糖尿病用薬およびインスリン注射にて血糖コントロールをしている。【０００６】入浴やマッサージを上手利用して仕事・姿勢・ストレスが原因の肩こりに対応し、心身のリラックス効果をなしている。【０００７】磁気を利用する健康器は多々あり一例として磁気ネックレスがある。
【先行技術文献】
【０００８】考案の名称  磁気ネックレス  登録３１９６５０８
考案の名称  内ポケット内蔵下着  登録３１９６５８３
【発明の概要】
【発明が解決しようとする課題】
【０００９】本発明治療器具は、前記考案の内ポケット内蔵下着に係るポケット３ヶ所に挿入内蔵する。【００１０】以って本発明治療器を使用する特徴は直接治療器具を人体に充てるのではなく下着を介入するものである。【００１１】アルミニュウム盤で磁気を内部に包んで構成してなる。【００１２】アルミニュウム盤を貫通して動脈・静脈のヘモクロビンに刺激を与える事を目的とする発明である。
【課題を解決するための手段】
【００１３】本発明に関する磁石は、ネオジュウム磁石である。厚さ０．８ｍｍであり巾１６、５ｍｍであり長さ２５ｍｍである。【００１４】磁力は１２０ｍｍテスラである。【００１５】肉厚０、１ｍｍの銅金網４０メッシュで巾１６、５ｍｍであり、長さ２５ｍｍである。【００１６】図示多数の鉛玉は０、５ｍｍである。【００１７】軽金属アルミニウム盤は肉厚０、１ｍｍであり長さ３３ｍｍ・巾４０ｍｍである。【００１８】本発明の構成を図面に基づいて説明する。
アルミニウム盤１の内面中央が折曲２１−２２する。
一方面に磁石３を接着又は糊にて固着する。
片方面に銅金網４を接着剤又は糊固着する。【００１９】銅金網４の中央５の外周辺６に多数の鉛玉７を接着剤にて固着する。【００２０】アルミニウム盤を折曲２１−２２して磁石３及び銅金網４を内部封入する。【００２１】アルミニウム盤の周辺８１  ８２  ８３を覆い、圧着糊付け固定し、一個の本発明治療器具となる。
周辺固定には糊付アルミテープ巾６ｍｍ固定である。【００２２】治療器具は磁力１２０ミリテスラである。
【図面の簡単な説明】
【００２３】
【図１】本発明の構成を示す展開図。
【図２】銅金網に鉛玉を固定した図。
【図３】アルミニウム盤折曲した図。
【図４】本発明と関係する内ポケット内蔵下着の一例図。
【発明を実施するための形態】
【００２４】内ポケット内蔵下着９のポケット１０１  １０２  １０３に内部受納する。
【００２５】磁力１２０ミニテスラ面Ａを人体面側とする。
【００２６】前記これは、磁力１２０ミリテスラの磁力エネルギーを人体血管の内部にあるヘモクロビンの鉄分に刺激を与える。
【００２７】ヘモクロビンの鉄分から帰還する一分の磁力エネルギーを多数の鉛玉が遮る。
【００２８】円周形状に多数の鉛玉を有する故に磁力エネルギーに強弱の遊びを生死する。
【００２９】前記使用中に於いてもアルミニウム盤全体の磁力は１２０ミリテスラである。
【００３０】銅金網４０メッシュは鉛玉取付け固着に最適である。
同時に抗菌性を有する。
【００３１】銅金網４０メッシュの特性を生かして鉛玉を固着すればアルミニウム盤１の磁力１２０ミリテスラ面Ａにて鉛玉の凸凹形状が現出しない。
【００３２】この様に構成した磁気治療器具は、磁力振動により血管内のヘモクロビンの鉄分を刺激伝導する効果を有する。
【００３３】人体血の巡りを良くする故に心身リラックス効果が生まれる。
【発明の効果】
【００３４】睡眠時、血流の震えが小動作となり短くなり少なくなる。
【符号の説明】
【００３５】１  アルミニウム盤
３  ネオジウム磁石
４  銅金網
７  鉛玉
９  内ポケット内蔵下着
【図１】
2017124133.tif 000003
【図２】
2017124133.tif 000004
【図３】
2017124133.tif 000005
【図４】
2017124133.tif 000006
(57)【要約】      （修正有）【課題】水素特性を発現し、抗酸化・抗炎症・抗アレルギー特性を有する水を循環させることで維持する装置の提供。【解決手段】原水５を、原水に含有する全ての成分の電荷を変換する水路１に流入させることにより、化学結合を解離方向に導き、両極性水分子を生成し、酸化還元電位が還元性を有する領域となる水を造り、この状態の水を循環維持する為に、酸化水路４を挿入し、同時にこの状態になった水が汚染され、汚染成分が生じた場合、汚染成分を除去する為に、還元水路３を挿入した、水素特性を発現する水を製造する装置。【選択図】図１
2017124389.tif 000002
【特許請求の範囲】
【請求項１】
原水内の全ての成分の電荷を変換する水路と制御回路から構成される装置
【請求項２】
原水内の全ての成分の電荷を変換し、水分子を含む全ての成分の化学結合を解離方向に導き、両極性水分子が生成され、酸化還元電位を還元領域に設定された水素特性を発現する水を製造することを特徴とする装置
【請求項３】
原水の組成を崩壊させることなく、酸化還元電位を還元領域に設定し、両極性水分子を生成し、水素特性を発現する水を製造することを特徴とする装置
【請求項４】
還元領域にある酸化還元電位を持ち、両極性水分子が生成され、水素特性を発現する水を、循環維持することを特徴とする装置
【請求項５】
還元領域にある酸化還元電位を持ち、両極性水分子が生成された、水素特性を発現する水の水質を、循環維持することを特徴とする装置
【発明の詳細な説明】
【技術分野】
【０００１】地球上に生命が誕生した当時の水組成及び特性を解明し、再現する技術分野【０００２】水素特性を発現させ、老化・炎症・アレルギー・慢性疾患を予防する抗酸化・抗炎症・抗アレルギー特性を有する水を製造する技術分野【０００３】水の酸化還元電位を、還元性を有する領域に、ｐＨ不変のまま設定する技術分野【０００４】水の酸化還元電位を、水素ガスを添加する事無く、還元性を有する領域にｐＨ不変のまま設定する技術分野【０００５】設定した水の酸化還元電位を、水を循環させることで、還元性を有する領域にｐＨ不変のまま維持する技術分野【０００６】水中の汚染成分を、水を循環させることで除去し、かつ設定した水の酸化還元電位を、水を循環させることで、還元性を有する領域にｐＨ不変のまま維持する技術分野
【発明が解決しようとする課題】
【０００７】地球上に生命が誕生した当時の水組成及び特性は現時点では解明されていない。同時に、当時の水を再現していく試みもなされていない。
【０００８】水素ガスを添加することなく、水素特性を発現し、抗酸化・抗炎症・抗アレルギー特性を有する水を得ることは、従来の技術では困難であった。
【０００９】水の酸化還元電位を、電気分解により還元性を有する領域に設定しようとすると、従来の技術ではｐＨがアルカリに移行する傾向にあった
【００１０】水の酸化還元電位を、水素ガスを添加する事で還元性を有する領域に設定しようとすると、従来の技術では水素ガス濃度上昇と共にｐＨがアルカリに移行する傾向にあった。
【００１１】水を循環させると、従来の技術では、設定した酸化還元電位が、還元性を有する領域から酸化性を有する領域に移行する傾向にあった。
【００１２】水中の汚染成分を、水を循環させることで除去しようとすると、従来の技術では、設定した酸化還元電位が、還元性を有する領域から酸化性を有する領域に移行する傾向にあった。
【課題を解決するための手段】
【００１３】水素特性を発現する抗酸化・抗炎症・抗アレルギー水の原料となる水（以下“原水”と呼ぶ）を、原水に含有する全ての成分の電荷を変換する水路に流入させることにより、化学結合を解離方向に導き、結果、両極性水分子を生成し、水素特性を発現し、還元性を有する領域に酸化還元電位を設定する。
【００１４】原水には、本装置によって水素特性を発現する両極性水分子が生成され、酸化還元電位は還元性を有する領域となる。この状態を本装置が造った水を循環維持する為に、酸化水路を挿入する。
【００１５】原水には、本装置によって水素特性を発現する両極性水分子が生成され、酸化還元電位は還元性を有する領域となる。この状態になった水に汚染成分が生じた場合、汚染成分を除去する為に、還元水路を挿入する。
【発明の効果】
【００１６】本発明の装置が造る水を飲用することで、細胞内の不要成分、老廃物を排出し、新陳代謝を健全に維持する。
【００１７】本発明の装置が造る水を飲用することで、体内の酸化を防止し、老化の進行を抑制する。
【００１８】本発明の装置が造る水を飲用することで、感染症等による脱水症状を、体力を消耗させること無く改善させる。
【００１９】本発明の装置が造る水を用いて入浴、シャワーを行う事で、皮膚細胞の酸化を防止し、老化を抑制する。
【００２０】本発明の装置が造る水を用いて入浴、シャワーを行う事で、皮膚組織に水分を浸透させ、肌の弾力性を促進させる。
【発明を実施するための最良の形態】
【００２１】水中内汚染成分を除去し、両極性水分子を生成し、還元性を有する領域の酸化還元電位に設定し、循環させる事で、還元領域の酸化還元電位を維持し、自然水質を維持する。
【図面の簡単な説明】
【００２２】
【図１】抗酸化・高炎症・抗アレルギーの水の製造及び還元領域の酸化還元電位と自然水質を循環によって維持する装置
【産業上の利用可能性】
【００２３】本装置が造る水は、酸化による皮膚老化、新陳代謝異状による炎症予防、細胞内残留成分によるアレルギー発症を予防し、アトピー性皮膚炎等の皮膚疾患、生活習慣病等を予防する。【００２４】本装置が造る水は、感染症罹患時における危機的な脱水症状から脱する為の経口補水液として活用出来ると同時に、平常時の感染予防水としても活用出来る。
【符号の説明】
【００２５】１：原水内の全ての成分の電荷を変換する水路
２：制御回路
３：還元水路
４：酸化水路
５：原水
６：循環水
７：抗酸化・高炎症・抗アレルギー水
【図１】
2017124389.tif 000003
(57)【要約】      （修正有）【課題】縄跳び等の練習をする練習者の跳躍を補助して縄跳びの技術の習得をより容易にするために用いられる耐久性や弾性を高めた縄跳び練習台および製作方法の提供。【解決手段】表面が防水コーティングされている合板からなる上板１の下面に適切な本数の補強板２を互いに平行に配置し、さらに補強板の下面に補強板と直交する方向に２本の枕木３を配置し、補強板および枕木の交点位置で締め具４により、上板、補強板、枕木を互いに固定する。【選択図】図１
2017035430.tif 000002
【特許請求の範囲】
【請求項１】
縄跳び練習台（ジャンプボード）の製作に関し、耐水ベニヤと板状補強板を組み合わせた使用方法により、耐久性と弾性を高める方法
【発明の詳細な説明】
【技術分野】
【０００１】  本発明は、縄跳び練習の補助具、ジャンプボードに関する。
【背景技術】
【背景技術】
【０００２】  縄跳びの二重跳びを補助するために弾力のある板上で跳ぶ練習をすることで二重跳びのリズムを身につける補助具として使用する。常時練習できるようにするため屋外に設置され、風雨にさらされるので消耗が激しく、短期間で破損してしまう。【０００３】  上板を薄くするとしなりがよくなって高く跳べるけれど消耗が激しく、消耗を防ぐために板を厚くすると反発力が弱くなり、練習成果が上がりにくい。また、風雨を避けるために出し入れを日常的に行う方法もあるが、重くて大きな不便を伴う。
【発明の概要】
【発明が解決しようとする課題】
【０００４】  ジャンプボードの耐久性を高め、安定した反発力を備えた補助具の提供を目的とする。
【課題を解決するための手段】
【０００５】  従来のジャンプボードを補強するために、上板の下面に弾性のある板状補強材を入れることで、上板の耐久性が向上し、安定した撓みが得られる。この補強材を複数枚組み込むことで使用者の体重や技のレベルに対応した弾力が得られる。【０００６】  この板状補強材は適度なしなりがあり、上下に加わる力への耐久性に優れている。こうした板を上板と組み合わせることで、補強され、耐久性が向上する。【０００７】  さらに、上板には表面が防水コーティングされている合板の使用で、弾性を維持し、耐久性を高めることができる。
【発明の効果】
【０００８】  本発明により多くの場所でジャンプボードを使用することが可能になり、練習効果の向上につながる。また、板状補強材はスキー板などで代用でき、弾性や剛性に富み、撓みに強い、化学樹脂や化学繊維、合成素材等を用いたしなりを利用することで反発力が高まり、効果的な練習が期待できる。
【図面の簡単な説明】
【０００９】
【図１】ジャンプボードの表面斜視図
【図２】ジャンプボードの補強材取り付け位置図
【図３】ジャンプボードの裏面形状図
【図４】ジャンプボードの側面形状図
【図５】ジャンプボード用枕木
【発明を実施するための形態】
【００１０】  ジャンプボードにスキー板で代用できる［０００８］の板状補強材を貼り合わせて使用し、修得しようとする技や上板にかかる重量により［図２］のように補強板の数を決める。
【００１１】  ［図２］の３の間隔を狭くするとたわみが小さく、広くするとたわみが大きくなる。重量が重かったり、踏み込み力が強かったりする外力が大きい場合は、３の枕木の間隔を短くし、ジャンプボードの下面が地面に接地するのを防ぐことができる。
【００１２】  ［図１］の３の枕木の高さを変えることでもジャンプボードの下面が接地するのを防ぐことができる。
【００１３】  板状補強材の接合はジャンプボードの足に当たる枕木［図５］のように溝を掘り、補強板を［図２］のようにはめ込む。上板から補強板を通して枕木にボルトで固定する。
【００１４】  ジャンプボードの長さの調整は補強板の中心部を運動時の基準とし、それにかかる外力によって行う。
【符号の説明】
【００１５】  １  上板（耐水性合板）
２  補強板
３  枕木
４  ボルト（締め具）
【産業上の利用可能性】
【００１６】  縄跳びの二重跳びや三重跳びといった各種技向上の練習に使用する。反復練習の中で、ジャンプと縄回しのタイミングをつかむため繰り返し使用に耐えるジャンプボードが求められる。補強板との組み合わせにより、耐久性と弾性が向上し、少ない力でも跳躍ができ、二重跳びや三重跳び等といった技の感覚をつかむことができる。
【図１】
2017035430.tif 000003
【図２】
2017035430.tif 000004
【図３】
2017035430.tif 000005
【図４】
2017035430.tif 000006
【図５】
2017035430.tif 000007